(57)【要約】【課題】眼鏡レンズの形状にかかわらず、眼鏡レンズ付き可撓部材から眼鏡レンズを剥離する技術を提供する。【解決手段】可撓部材１０２と、前記可撓部材１０２に固着する光学面を有する眼鏡レンズ１００と、を備えた眼鏡レンズ付き可撓部材に対し、前記可撓部材１０２を前記眼鏡レンズ１００側に撓らせることにより前記可撓部材１０２と前記眼鏡レンズ１００との間の固着を解く眼鏡レンズ固着解除工程を有する、眼鏡レンズの剥離方法およびその関連技術を提供する。【選択図】図３
2020062696.tif 000002
【特許請求の範囲】
【請求項１】
可撓部材と、前記可撓部材に固着する光学面を有する眼鏡レンズと、を備えた眼鏡レンズ付き可撓部材に対し、前記可撓部材を前記眼鏡レンズ側に撓らせることにより前記可撓部材と前記眼鏡レンズとの間の固着を解く眼鏡レンズ固着解除工程を有する、眼鏡レンズの剥離方法。
【請求項２】
前記眼鏡レンズ付き可撓部材は、前記可撓部材を挟んで前記眼鏡レンズとは反対側にて前記可撓部材と固着する保持具を更に備えた眼鏡レンズ付き保持具であり、
前記可撓部材を更に眼鏡レンズ側に撓らせることにより前記保持具と前記可撓部材との間の固着も解く保持具固着解除工程を更に有する、請求項１に記載の眼鏡レンズの剥離方法。
【請求項３】
前記眼鏡レンズ付き可撓部材は、前記可撓部材を挟んで前記眼鏡レンズとは反対側にて前記可撓部材と固着する保持具を更に備えた眼鏡レンズ付き保持具であり、
前記眼鏡レンズ固着解除工程は、
前記保持具を固定する固定工程と、
前記固定工程後、軸部を中心に回動可能な剥離部材を前記可撓部材に当接させる当接工程と、
前記当接工程後、前記可撓部材を前記眼鏡レンズ側に撓らせる方向に前記剥離部材を回動させることにより前記眼鏡レンズを前記可撓部材から剥離する剥離工程と、
を有する、請求項１または２に記載の眼鏡レンズの剥離方法。
【請求項４】
前記眼鏡レンズ付き可撓部材を前記眼鏡レンズの側から見た時に、前記眼鏡レンズは、前記可撓部材の外縁よりも外方に延出しないまたは最大延出距離が１５ｍｍ未満である、請求項１〜３のいずれかに記載の眼鏡レンズの剥離方法。
【請求項５】
可撓部材と、前記可撓部材に固着する光学面を有する眼鏡レンズと、を備えた眼鏡レンズ付き可撓部材に対し、前記可撓部材を眼鏡レンズ側に撓らせることにより前記可撓部材と前記眼鏡レンズとの間の固着を解く眼鏡レンズ固着解除機構を有する、眼鏡レンズの剥離装置。
【請求項６】
前記眼鏡レンズ付き可撓部材は、前記可撓部材を挟んで前記眼鏡レンズとは反対側にて前記可撓部材と固着する保持具を更に備えた眼鏡レンズ付き保持具であり、
前記眼鏡レンズ固着解除機構は、
前記保持具を固定するための固定機構と、
軸部を中心に回動可能な剥離部材と、
を備え、
前記固定機構により前記保持具を固定し、前記可撓部材を眼鏡レンズ側に撓らせる方向に前記剥離部材を回動させることにより、前記眼鏡レンズを前記可撓部材から剥離する構成を備える、請求項５に記載の眼鏡レンズの剥離装置。
【発明の詳細な説明】
【技術分野】
【０００１】
本発明は、眼鏡レンズの剥離方法および剥離装置に関する。
【背景技術】
【０００２】
眼鏡レンズの製造工程には、眼鏡レンズ（詳しく言うと両面のうち一面を光学的に仕上げたセミフィニッシュトレンズ（semi-finished lens））の切削工程および研磨工程が含まれる。これらの工程は共に眼鏡レンズの加工装置により行われる場合が多い。この眼鏡レンズを保持具にて保持する。次に、この保持具を前記加工装置に設置する。そして、この眼鏡レンズに対して切削工程および研磨工程の少なくともいずれか（以降、加工工程または単に加工と称する。）を行う。
【０００３】
前記保持具は、例えば特許文献１の図１等に示すように、眼鏡レンズの加工装置に設置される土台と低融点金属部材とを備えている。この低融点金属部材は、土台に固着し、且つ眼鏡レンズの光学面に倣った形状を有し、且つ土台よりも融点が低い。以降、前記土台のことをヤトイ（fixture）と称する。また、前記低融点金属部材は、好ましくは低融点合金からなるためアロイ（alloy）と称する。保持具が加工装置に設置される際には、アロイにおける眼鏡レンズの光学面に倣った形状と、加工工程前の眼鏡レンズ（セミフィニッシュトレンズ）の光学面とが、保護フィルムを介して固着している。加工工程後、眼鏡レンズ付き保持具は加工装置から取り外される。そして眼鏡レンズは保持具から取り外される（deblocking）。
【０００４】
この眼鏡レンズの取り外しに関する技術が特許文献２に開示されている。特許文献２に記載の装置は、アロイを介して保持具に取り付けられたレンズを剥離する装置であって、保持具を固定するための固定機構と、軸部を中心に回動可能な剥離部材と、を備え、レンズは、外周部の少なくとも一部がアロイの外縁から外方に延出した状態で取り付けられており、固定機構により保持具を固定し、レンズの延出した部分の軸部の反対側の部位に、保持具の側から剥離部材を当接させた状態で、剥離部材を、保持具からレンズを引き離す方向に回動させることによりレンズをアロイから剥離することを特徴とする（特許文献２の［００１０］）。
【０００５】
上記構成によれば、レンズのアロイから延出した部分の軸部の反対側の部位に剥離部材を当接させた状態で剥離部材を回動させることにより、レンズが弾性変形して、まず、剥離部材の当接した部位がアロイから剥離され、その後、剥離が徐々にレンズ全体へ進行することになる。このため、レンズは剥離するために大きな衝撃をレンズに加える必要がなく、レンズに割れ等の不良が発生しにくい。また、剥離部材を回動させるだけで、レンズをアロイから剥離することができるため、手間をかけずに短時間でデブロックを行うことができる（特許文献２の［００１１］）。
【先行技術文献】
【特許文献】
【０００６】
【特許文献１】特開２０１０−２８４７６１号公報
【特許文献２】特開２０１８−１０３３０１号公報
【発明の概要】
【発明が解決しようとする課題】
【０００７】
特許文献２に記載の装置だと、眼鏡レンズ付き保持具を前記眼鏡レンズの側から見た時に、前記眼鏡レンズは、アロイの外縁よりも外方に延出した状態を前提としている。その一方、注文された眼鏡フレームの形状によっては、眼鏡レンズがアロイの外縁よりも外方に延出しないような形状を有することも有り得る。このような形状はナイフエッジとも呼ばれる。
【０００８】
図１は、眼鏡レンズがアロイの外縁よりも外方に延出しない眼鏡レンズ付き保持具の概略側断面図である。眼鏡レンズの符号は１００、保護フィルムの符号は１０１、アロイの符号は１０２、保持具の符号は１０４である。以降、これらの符号は省略することもある。
【０００９】
図１に示す場合だと、特許文献２で言うところの剥離部材をレンズに当接できない。その結果、剥離部材を回動させても、アロイからレンズを引き離せない。
【００１０】
本発明の一実施例は、眼鏡レンズの形状にかかわらず、眼鏡レンズ付き可撓部材から眼鏡レンズを剥離する技術を提供することを目的とする。
【課題を解決するための手段】
【００１１】
本発明は、前記目的を達成するために案出されたものである。具体的には、眼鏡レンズと固着するのが比較的変形しやすい低融点金属部材（アロイ）であることを利用する。詳しく言うと、アロイは可撓性を有することを利用する。このアロイを撓らせることによりアロイを変形させ、眼鏡レンズとの接触面に隙間を形成することにより両者の固着を解く、という知見に基づき、以下の態様が案出された。
【００１２】
本発明の第１の態様は、
可撓部材と、前記可撓部材に固着する光学面を有する眼鏡レンズと、を備えた眼鏡レンズ付き可撓部材に対し、前記可撓部材を前記眼鏡レンズ側に撓らせることにより前記可撓部材と前記眼鏡レンズとの間の固着を解く眼鏡レンズ固着解除工程を有する、眼鏡レンズの剥離方法である。
【００１３】
本発明の第２の態様は、第１の態様に記載の態様であって、
前記眼鏡レンズ付き可撓部材は、前記可撓部材を挟んで前記眼鏡レンズとは反対側にて前記可撓部材と固着する保持具を更に備えた眼鏡レンズ付き保持具であり、
前記可撓部材を更に眼鏡レンズ側に撓らせることにより前記保持具と前記可撓部材との間の固着も解く保持具固着解除工程を更に有する。
【００１４】
本発明の第３の態様は、第１または第２の態様に記載の態様であって、
前記眼鏡レンズ付き可撓部材は、前記可撓部材を挟んで前記眼鏡レンズとは反対側にて前記可撓部材と固着する保持具を更に備えた眼鏡レンズ付き保持具であり、
前記眼鏡レンズ固着解除工程は、
前記保持具を固定する固定工程と、
前記固定工程後、軸部を中心に回動可能な剥離部材を前記可撓部材に当接させる当接工程と、
前記当接工程後、前記可撓部材を前記眼鏡レンズ側に撓らせる方向に前記剥離部材を回動させることにより前記眼鏡レンズを前記可撓部材から剥離する剥離工程と、
を有する。
【００１５】
本発明の第４の態様は、第１〜第３のいずれかの態様に記載の態様であって、
前記眼鏡レンズ付き可撓部材を前記眼鏡レンズの側から見た時に、前記眼鏡レンズは、前記可撓部材の外縁よりも外方に延出しないまたは最大延出距離が１５ｍｍ未満（または１２ｍｍ以下、更には１０ｍｍ以下）である。
【００１６】
本発明の第５の態様は、
可撓部材と、前記可撓部材に固着する光学面を有する眼鏡レンズと、を備えた眼鏡レンズ付き可撓部材に対し、前記可撓部材を眼鏡レンズ側に撓らせることにより前記可撓部材と前記眼鏡レンズとの間の固着を解く眼鏡レンズ固着解除機構を有する、眼鏡レンズの剥離装置である。
【００１７】
本発明の第６の態様は、第５の態様に記載の態様であって、
前記眼鏡レンズ付き可撓部材は、前記可撓部材を挟んで前記眼鏡レンズとは反対側にて前記可撓部材と固着する保持具を更に備えた眼鏡レンズ付き保持具であり、
前記眼鏡レンズ固着解除機構は、
前記保持具を固定するための固定機構と、
軸部を中心に回動可能な剥離部材と、
を備え、
前記固定機構により前記保持具を固定し、前記可撓部材を眼鏡レンズ側に撓らせる方向に前記剥離部材を回動させることにより、前記眼鏡レンズを前記可撓部材から剥離する構成を備える。
【発明の効果】
【００１８】
本発明の一実施例によれば、眼鏡レンズの形状にかかわらず、眼鏡レンズ付き可撓部材から眼鏡レンズを剥離する技術を提供できる。
【図面の簡単な説明】
【００１９】
【図１】図１は、眼鏡レンズがアロイの外縁よりも外方に延出しない眼鏡レンズ付き保持具の概略断面図である。
【図２】図２は、本発明の一態様にかかる実施形態によるレンズ剥離装置の概略平面図である。
【図３】図３は、本発明の一態様にかかる実施形態によるレンズ剥離装置の概略正面図（一部断面図）である。
【図４】図４は、本発明の一態様にかかるレンズ剥離装置によりアロイから眼鏡レンズを剥離する様子を示す概略正面図である。
【図５】図５は、本発明の一態様にかかるレンズ剥離装置によりヤトイからアロイを剥離する様子を示す概略正面図である。
【発明を実施するための形態】
【００２０】
本明細書において、眼鏡レンズの「眼球側の面」とは、眼鏡レンズを備えた眼鏡が装用者に装用された際に眼球側に配置される面（例えば凹面）をいい、「物体側の面」とは、物体側に配置される面（例えば凸面）をいう。
本明細書において、切削および研磨加工前の眼鏡レンズについてはセミフィニッシュトレンズとも称する。
本明細書において、天地方向の天の方向を上方、地の方向を下方とする。
【００２１】
以下、本発明の実施形態について述べる。なお、本発明の実施形態は、特許文献２に記載の態様と比較したとき、軸部を中心に回動可能な剥離部材を、眼鏡レンズではなくアロイに対して当接させ、前記剥離部材を回動させることに大きな相違がある。そのため、本発明の一態様は、前記剥離部材を除き、特許文献２に記載の装置構成と同様である。以下に詳細な記載が無い内容は、特許文献２に記載の内容を全て援用する。
【００２２】
［本発明の一態様に係る眼鏡レンズの剥離装置および剥離方法］
本発明の一態様に係る眼鏡レンズの剥離装置は、可撓部材と、前記可撓部材に固着する光学面を有する眼鏡レンズと、を備えた眼鏡レンズ付き可撓部材に対し、前記可撓部材を眼鏡レンズ側に撓らせることにより前記可撓部材と前記眼鏡レンズとの間の固着を解く眼鏡レンズ固着解除機構を有する。
【００２３】
この眼鏡レンズ固着解除機構により、前記可撓部材と前記眼鏡レンズとの間の固着を解く工程を、眼鏡レンズ固着解除工程と称する。
【００２４】
前記可撓部材は、眼鏡レンズの光学面と固着（正確に言えば保護シートが貼付られた前記光学面と固着）可能であり、可撓性を有するものであれば特に限定は無い。本発明の一態様では、可撓部材として低融点金属部材（アロイ）を挙げる。
【００２５】
前記眼鏡レンズ固着解除機構は、前記可撓部材（アロイ）と当接させ、前記可撓部材（アロイ）を物理的な外力により眼鏡レンズ側に撓らせられるものであれば特に限定は無い。
【００２６】
本発明の一態様に係る眼鏡レンズの剥離装置により、前記眼鏡レンズ固着解除機構は、眼鏡レンズに対して直接物理的な外力を加える必要がなくなる。そのため、眼鏡レンズがアロイの外縁よりも外方に延出しない状態であっても眼鏡レンズの剥離を行える。
【００２７】
また、アロイを溶融させずに眼鏡レンズの剥離を行うため、アロイの溶解に伴う諸問題（雰囲気の汚染、廃棄するアロイの量の増大等）を生じさせなくて済む。
【００２８】
なお、眼鏡レンズがアロイの外縁よりも外方に延出する状態であっても、アロイを物理的な外力により眼鏡レンズ側に撓らせることにより眼鏡レンズの剥離を行える。そのため、本発明は、いわゆるナイフエッジの形状の眼鏡レンズを扱う場合に限定されない。
【００２９】
［本発明の一態様に係る眼鏡レンズの剥離装置および剥離方法の好適例および変形例］
以下、本発明の一態様の詳細、好適例および変形例について説明する。
【００３０】
前記眼鏡レンズ付き可撓部材は、前記可撓部材を挟んで前記眼鏡レンズとは反対側にて前記可撓部材と固着する保持具を更に備えた眼鏡レンズ付き保持具であってもよい。この保持具はヤトイとも呼ばれ、土台の役割を担う。つまり、前記可撓部材（アロイ）はヤトイと眼鏡レンズ（加工前だとセミフィニッシュトレンズ）との間に挟まれて接着剤の役割を果たす。
【００３１】
ちなみに、加工装置により加工を行う際、ヤトイを加工装置に固定した後、場合によってはアロイごとセミフィニッシュトレンズが加工される。その際に、先ほど述べたように、最終的に得られる眼鏡レンズの形状によっては、前記眼鏡レンズ付き可撓部材を前記眼鏡レンズの側から見た時に、前記眼鏡レンズは、前記可撓部材の外縁よりも外方に延出しないようになる。外方に延出したとしても最大延出距離が１５ｍｍ未満だと、特許文献２に記載の装置だと剥離部材が眼鏡レンズに引っ掛かったとしても回動の際に剥離部材から眼鏡レンズが外れてしまう。最大延出距離が１２ｍｍ以下、更には１０ｍｍ以下だとなおさらである。ところが本発明の一態様ならば、アロイを物理的な外力により眼鏡レンズ側に撓らせることにより眼鏡レンズの剥離を行える。
【００３２】
前記眼鏡レンズ固着解除機構は、前記保持具を固定するための固定機構と、軸部を中心に回動可能な剥離部材と、を備えるのが好ましい。そして、前記固定機構により前記保持具を固定し（前記眼鏡レンズ固着解除工程における固定工程）、軸部を中心に回動可能な剥離部材を前記可撓部材に当接させ（当接工程）、前記可撓部材を眼鏡レンズ側に撓らせる方向に前記剥離部材を回動させることにより、前記眼鏡レンズを前記可撓部材から剥離する構成を備えるのが好ましい（剥離工程）。
【００３３】
以下、本発明の一態様について詳細に説明する。
図２及び図３は、本発明の一態様にかかる実施形態によるレンズ剥離装置を示し、図２は平面図であり、図３は正面図である。なお、図２では、押え機構９を省略している。また、図３においては固定機構４周りについては図２のＸ−Ｘ’での断面視を描写している。
【００３４】
図１に示すように、眼鏡レンズ１００の一面に保護フィルム１０１を貼り付け、保持具１０４がアロイ１０２を介して取り付けられている。眼鏡レンズ１００は、例えば、眼鏡用レンズであり、プラスチック材料が成形されてなる。眼鏡レンズ１００は、アロイ１０２の外縁よりも外方に延出しない、または、外方に延出したとしても最大延出距離が１５ｍｍ未満である場合を例示する。なお、眼鏡レンズ１００の保持具１０４が取り付けられた側の面は予め所定の形状に成形されており、他方の面には個客の処方にあわせた設計データに基づき研磨加工が施されている。
【００３５】
図２及び図３に示すように、レンズ剥離装置１は、台座部２と、眼鏡レンズに固定された保持具を固定する固定機構４と、アロイから眼鏡レンズを剥離するための剥離機構６と、剥離機構６を駆動するアクチュエータ８と、剥離機構６に取り付けられた押え機構９と、を備える。
【００３６】
台座部２は、長方形の平板状を呈している。固定機構４は、台座部２の一端側に設けられている。固定機構４は、クランプシリンダ１０と、連結部材１１と、クランプチャック１２と、支持部材１４とを有する。クランプシリンダ１０は、クランプチャック１２を駆動するための装置であり、台座部２の下方に設けられている。クランプシリンダ１０は、上下方向に進退可能なピストン１０Ａを有し、ピストン１０Ａは台座部２に形成された開口を通じて、台座部２の上方まで突出している。支持部材１４は、略直方体状の部材であり、台座部２の上方に配置されている。支持部材１４には、略円筒状の貫通孔１４Ａが形成されており、クランプシリンダ１０のピストン１０Ａは、貫通孔１４Ａ内に延びている。
【００３７】
クランプチャック１２は、截頭円錐台形状の把持部１２Ａと、把持部１２Ａの下面に同軸に接続された円筒状の軸部１２Ｂとを有する。把持部１２Ａには上面に開口する円柱状の開口部１２Ｃが形成されている。また、把持部１２Ａ及び軸部１２Ｂには、開口部１２Ｃの底面から軸部１２Ｂの下面まで到達するようにネジ穴１２Ｄが形成されている。また、把持部１２Ａには、放射状に複数のスリット１２Ｇが形成されている。スリット１２Ｇは、把持部１２Ａの外周から開口部１２Ｃの周面とネジ穴１２Ｄとの中間地点まで延びている。
【００３８】
把持部１２Ａの下面の軸部１２Ｂの周囲には円環状の溝部１２Ｅが形成されている。溝部１２Ｅの外周側の円環状の縁部１２Ｆは、支持部材１４の上面に当接している。軸部１２Ｂは、クランプシリンダ１０のピストン１０Ａのネジ穴１０Ｂと、連結部材１１を用いて接続されている。
【００３９】
このような構成により、クランプシリンダ１０のピストン１０Ａが退行すると、連結部材１１を介して軸部１２Ｂが把持部１２Ａの中心部を下方に引っ張り、把持部１２Ａが縁部１２Ｆを中心に、上縁が径方向内側に向かうように撓む。また、このような状態から、クランプシリンダ１０によりクランプチャック１２の軸部１２Ｂに加えていた引っ張り荷重を除去すると、クランプチャック１２が弾性により元の形状に戻り、把持部１２Ａの上縁が径方向外側に向かって拡がる。
【００４０】
剥離機構６は、台座部２に立設された支持部材１６と、支持部材１６に対して回動可能に設けられた第一剥離部材１８と、第一剥離部材１８上に載置された第二剥離部材１９と、を有する。第一剥離部材１８の開口部１８Ｇの半円に対し、第二剥離部材１９の開口部１９Ｇが同心となるように第二剥離部材１９を配置する。
【００４１】
支持部材１６は板状の部材からなり、台座部２の固定機構４よりも端部側に立設されている。支持部材１６は、上部の両側から横方向に突出する一対の軸部１６Ａを有する。
【００４２】
第一剥離部材１８は、矩形状の剥離部材本体１８Ｂと、剥離部材本体１８Ｂに接続された延長部１８Ａとを有する。剥離部材本体１８Ｂには、開口部１８Ｇが形成されている。開口部１８Ｇは、基端部側（図２及び図３の左側）が矩形状を呈しており、先端側（図２及び図３の右側）が半円状を呈している。また、第一剥離部材１８の基端部側には、開口部１８Ｇから側面に到達する一対の長孔（不図示）が形成されている。長孔は横方向に貫通しており、第一剥離部材１８の長手方向に延びるような断面形状を有する。一対の長孔には、それぞれ支持部材１６の側面に形成された軸部１６Ａが挿入されている。これにより、第一剥離部材１８は、支持部材１６に対して軸部１６Ａを中心に回動可能であるとともに、長手方向に軸部１６Ａに対して移動可能である。延長部１８Ａの下面には長手方向に延びるガイド溝（不図示）が形成されている。
【００４３】
本発明の一態様の大きな特徴の一つは、第二剥離部材１９を設けたことにある。第二剥離部材１９は楔形状を有し、楔先端には半円状の切り欠きである開口部１９Ｇが形成されている。この開口部１９Ｇすなわち半円弧の部分も楔形状を有する。アロイとヤトイの間に第二剥離部材１９を潜り込ませやすくするためである。
【００４４】
開口部１９Ｇの径は、アロイの最大径よりも小さい径に設定される。つまり、第二剥離部材１９の開口部１９Ｇは、眼鏡レンズに当接させることを前提とした特許文献２の剥離部材本体１８Ｂの開口部１８Ｇよりも小径である。そして、第二剥離部材１９は眼鏡レンズではなくアロイと当接する。
【００４５】
なお、本発明の一態様では、特許文献２に記載の（第一）剥離部材１８に対し、第二剥離部材１９を付加する場合を例示したが、特許文献２に記載の第一剥離部材１８の開口部１８Ｇの径を小さくしても構わない。そして、第一剥離部材１８が眼鏡レンズに当接するのではなくアロイに当接するように構成しても構わない。
【００４６】
アクチュエータ８は、台座部２の固定機構４と反対側の端部に設けられている。アクチュエータ８は、進退可能なピストン８Ａを有する。アクチュエータ８のピストン８Ａの先端は、第一剥離部材１８のガイド溝内に配置されている。
【００４７】
押え機構９は、第一剥離部材１８の上面に立設された支持部材２０と、支持部材２０にヒンジ部材２６を介して接続された回動部材２２と、回動部材２２の一面に取り付けられた押え部材２４と、を有する。回動部材２２は、図３に示すような、支持部材２０の上端からアクチュエータ８側に向かって第一剥離部材１８と平行に延びる状態から、支持部材２０から固定機構４に向かって延びる状態まで回動可能である。押え部材２４は例えばスポンジなどの弾性を有する部材からなる。
【００４８】
上記説明した剥離装置１を用い、眼鏡レンズを剥離する。具体的な手法は特許文献２に記載されているため省略する。
【００４９】
図４は、本発明の一態様にかかるレンズ剥離装置１によりアロイから眼鏡レンズを剥離する様子を示す概略正面図である。保護フィルムの記載は省略している。
【００５０】
掻い摘んで言うと、可撓部材であるアロイに当接させつつ、ピストン８Ａを上昇させることにより剥離機構６における第一剥離部材１８および第二剥離部材１９を回動させ（図３中の黒矢印）、アロイを変形させる（図４中の点線囲み）。これにより、図４に示すように、眼鏡レンズとの接触面に隙間Ｖが形成される。その結果、眼鏡レンズとアロイとの間の固着が解かれ、アロイから眼鏡レンズが剥離される。
【００５１】
図５は、本発明の一態様にかかるレンズ剥離装置１によりヤトイからアロイを剥離する様子を示す概略正面図である。保護フィルムの記載は省略している。
【００５２】
本発明の一態様では、図５に示すように、前記可撓部材（アロイ）を更に眼鏡レンズ側に撓らせることにより前記保持具と前記可撓部材（アロイ）との間の固着も解く保持具固着解除工程を更に行うのも好ましい。これにより、保持具からアロイを取り外す際にも、アロイを溶融させずに済む。その結果、アロイの溶解に伴う諸問題（雰囲気の汚染、廃棄するアロイの量の増大等）を生じさせなくて済む。
【００５３】
本発明の一態様では、特許文献２に記載の装置のように、すなわち図３に示すように、てこの原理を利用して眼鏡レンズの剥離を行ったが、本発明はその態様に限定されない。例えば、万力等の機構を利用してアロイを両側から押さえつけることによりアロイを変形させ、眼鏡レンズの剥離を行ってもよい。
【符号の説明】
【００５４】
１  レンズ剥離装置
２  台座部
４  固定機構
６  剥離機構
８  アクチュエータ
８Ａ  ピストン
９  押え機構
１０  クランプシリンダ
１０Ａ  ピストン
１１  連結部材
１２  クランプチャック
１２Ａ  把持部
１２Ｂ  軸部
１２Ｃ  開口部
１２Ｄ  ネジ穴
１２Ｅ  溝部
１２Ｆ  縁部
１２Ｇ  スリット
１４  支持部材
１４Ａ  貫通孔
１６  支持部材
１６Ａ  軸部
１８  第一剥離部材
１８Ａ  延長部
１８Ｂ  剥離部材本体
１８Ｇ  開口部
１９  第二剥離部材
１９Ｇ  開口部（切り欠き）
２０  支持部材
２２  回動部材
２４  押え部材
２６  ヒンジ部材
１００  眼鏡レンズ
１０１  保護フィルム
１０２  可撓部材（アロイ）
１０４  保持具（ヤトイ）
Ｖ  隙間
【図１】
2020062696.tif 000003
【図２】
2020062696.tif 000004
【図３】
2020062696.tif 000005
【図４】
2020062696.tif 000006
【図５】
2020062696.tif 000007